(57)【要約】【課題】ラベルに記載されている内容がよりわかりやすくなるようにラベル印刷できるようにする。【解決手段】操作表示部７上の複数のワンタッチボタンの個々に対応して、宛先番号，ファンクション手順等の各種の入力情報と、任意の文字数の第１登録名称と、規定範囲内の文字数の第２登録名称と、この第２登録名称の文字色および文字サイズをシステムメモリ部５に登録し、操作表示部７上のワンタッチボタン名称ラベル貼り付けスペースと前記各ワンタッチボタンとの配列に合わせて第２登録名称を配置し、第２登録名称をシステムメモリ部５に登録された文字色および文字サイズを記録紙に印刷してワンタッチボタン名称ラベルを作成する。【選択図】　　図１
2004096536.tif 000002
【特許請求の範囲】
【請求項１】
回線を介して画情報を受信する受信手段と、受信した画情報を印刷する印刷手段と、画情報を入力する画情報入力手段と、入力した画情報を操作部によって指定された宛先へ回線を介して送信する送信手段とを備えたファクシミリ装置において、
前記操作部上の複数のワンタッチボタンの個々に対応して、宛先番号，ファンクション手順等の各種の入力情報と、任意の第１登録名称と、規定範囲内の文字数の第２登録名称と、この第２登録名称の印刷設定情報とを登録する登録手段と、前記操作部上のワンタッチボタン名称ラベル貼り付けスペースと前記各ワンタッチボタンとの配列に合わせて第２登録名称を配置し、第２登録名称を印刷設定情報に基づいて印刷するワンタッチボタン名称ラベル印刷手段とを設けたことを特徴とする通信装置。
【請求項２】
印刷設定情報を、第２登録名称の文字色としたことを特徴とする請求項１記載のファクシミリ装置。
【請求項３】
印刷設定情報を、第２登録名称の文字サイズとしたことを特徴とする請求項１または２記載のファクシミリ装置。
【発明の詳細な説明】
【０００１】
【発明の属する技術分野】
本発明は、ファクシミリ装置に関する。
【０００２】
【従来の技術】
従来、この種の技術として、発明者は、特許文献１記載の通信装置を提案している。
【０００３】
特許文献１に記載された通信装置は、システム制御部が、システムメモリ部に操作表示部上の複数のワンタッチボタンに宛先番号，ファンクション手順等の各種の入力情報と任意の名称を登録し、その登録された入力情報の種類を選択し、その選択された入力情報の種類に対応する名称又は入力情報を操作表示部上のワンタッチボタン名称ラベル貼り付けスペースと各ワンタッチボタンの配列に合わせて配置したワンタッチボタン名称ラベルを作成し、その作成されたワンタッチボタン名称ラベルを記録部によって記録紙に印刷することにより、ワンタッチボタンに登録された名称のラベルを多様に印刷できるようにしたものである。
【０００４】
【特許文献１】
特開平１１−７５００１号公報（第５−１１頁、第１−１２図）
【０００５】
【発明が解決しようとする課題】
しかしながら、従来の通信装置では、ワンタッチダイヤルの宛先の登録内容を操作パネル上のワンタッチダイヤル宛先ラベル貼り付けスペースの大きさにあわせて記録紙に出力することができるが、出力スペースは限定されており、登録した名称・または番号などの全てを出力することができず、ラベルに出力可能な文字数では登録内容を認識することができない場合がある。
【０００６】
本発明は、上記の点に鑑みてなされたものであり、ラベルに記載されている内容がよりわかりやすくなるように印刷できるようにすることを目的とする。
【０００７】
【課題を解決するための手段】
前記目的を達成するため、本発明は、回線を介して画情報を受信する受信手段と、受信した画情報を印刷する印刷手段と、画情報を入力する画情報入力手段と、入力した画情報を操作部によって指定された宛先へ回線を介して送信する送信手段とを備えたファクシミリ装置において、前記操作部上の複数のワンタッチボタンの個々に対応して、宛先番号，ファンクション手順等の各種の入力情報と、任意の第１登録名称と、規定範囲内の文字数の第２登録名称と、この第２登録名称の印刷設定情報とを登録する登録手段と、前記操作部上のワンタッチボタン名称ラベル貼り付けスペースと前記各ワンタッチボタンとの配列に合わせて第２登録名称を配置し、第２登録名称を印刷設定情報に基づいて印刷するワンタッチボタン名称ラベル印刷手段とを設けたことを特徴とする。このような構成により、ワンタッチラベルにおける印字可能文字数内で、ラベルとして印刷される登録名称を使用者が入力し登録するので、使用者が意図した名称がラベルに反映されるようになり、ワンタッチラベルを見た場合に登録内容がよりわかりやすくなる。
【０００８】
また本発明は、印刷設定情報を、第２登録名称の文字色としたことを特徴とする。このような構成により、個々のワンタッチボタンに付された名称の識別性が向上する。
【０００９】
また本発明は、印刷設定情報を、第２登録名称の文字サイズとしたことを特徴とする。このような構成により、個々のワンタッチボタンに付された名称の識別性が向上する。
【００１０】
【発明の実施の形態】
以下、本発明の実施形態を図面に基づいて具体的に説明する。
【００１１】
図１は、本発明の一実施形態であるファクシミリ装置の構成を示すブロック図であり、１は原稿の画像を光学的に読み取る読み取り部、２は、受信した画情報やレポート、ＯＭＲシート等を記録する記録部、３は符号化・復号化部、４はシステム制御部、５はシステム制御部４で使用するワークエリアであるシステムメモリ、６は画情報を必要に応じて蓄積保存する画情報メモリ、７は操作表示部、８は、回線を介して受信した画情報は、画情報メモリ６に蓄積された画情報を操作表示部７から指定された宛先へ回線を介して送信する通信制御部、９は回線と通信制御部の間でアナログ信号の変調・復調を行うモデム、１０は回線から送られてくるＤＴＭＦ信号を検出するＤＴＭＦ検出器を示す。
【００１２】
記録部２は、カラー印刷機能を備えており、画情報にカラーデータが含まれている場合、そのデータに基づいて記録紙にカラー印刷が行われる。
【００１３】
また、符号化・復号化部３によって読み取り部１から入力された画情報は符号化され、ファクシミリ受信した画情報は復号化される。システム制御部４は、ＣＰＵ，ＲＯＭおよびＲＡＭ等からなるマイクロコンピュータによって実現され、システム制御部４によってファクシミリ装置全体が制御されると共に、後述するワンタッチボタン名称ラベルの印刷処理が制御される。システム制御部４のワークエリアとして使用されるシステムメモリ部５には、個々のワンタッチボタンに対応する登録内容が記憶される。
【００１４】
画情報メモリ６には読み取り部１から入力された画情報や、符号化・復号化部３によって符号化された画情報が必要に応じて蓄積される。操作表示部７には、利用者がワンタッチボタン名称ラベルを印刷するときの出力内容を選択したり、各種の操作情報を入力するテンキー、ファンクションキー、ワンタッチボタンその他の機能キーからなる操作部と、各種の作業時のメッセージを表示するＬＣＤ等の表示部とが備えられている。
【００１５】
図２は、図１に示した操作表示部７の外観を示す正面図である。その操作表示部７上には、ＬＣＤ等の表示部１１と、８個×４列＝３２個のマトリクス状に配置されたワンタッチボタン１２と、各列毎に設けられたワンタッチボタン名称ラベル貼り付けスペース１３と、テンキー１４と、スタートキー１５と、ストップキー１６が備えられている。
【００１６】
各ワンタッチボタンには、図２において左から右側へ、上列から下列側に順に１〜３２までの番号が刻印されている。ここでは以下の説明のために、それぞれのワンタッチボタンを、ワンタッチ＃１〜ワンタッチ＃３２と称する。さらにワンタッチの＃１からワンタッチの＃２６までには、名称を登録する際に使用するためのＡ〜Ｚのアルファベットが割り付けられている。
【００１７】
（表１）は、図２に示したワンタッチボタンの登録内容を示すデータのフォーマット例を示す表である。各ワンタッチボタン１２に対して入力された入力情報は、（表１）に示すようなフォーマットでシステムメモリ部５に登録される。（表１）に示すフォーマットにはワンタッチ番号、ワンタッチ番号に対応する登録名称、登録番号、印字用名称、印字用カラーそして印字用フォントの登録欄が設けられている。
【００１８】
【表１】
2004096536.tif 000003
【００１９】
ワンタッチ番号の欄にはワンタッチボタンの数、すなわちワンタッチ＃１〜＃３２に対応して１〜３２の番号が予め入力されている。登録名称、登録番号、印字用名称、印字用カラーそして印字用フォントの欄にはユーザが操作表示部７のワンタッチボタン１２やテンキー１４等を操作して、設定入力を行う。登録名称の欄には、ワンタッチ＃１〜＃３２に登録するファクス番号の相手先名称、本社付近ＭＡＰや注文票等の画像あるいは文字データの名称、あるいは、通信管理レポート印刷等の各種のファンクション機能の名称等が入力される。登録番号の欄には相手先のファクス番号が入力される。印字用名称の欄には、ワンタッチボタン名称ラベル貼り付けスペース１３に貼付するラベルに印刷する印字用名称が入力される。印字用カラーの欄にはラベルに印刷する印字用名称の文字色が設定入力される。印字用フォントの欄にはラベルに印刷する印字用名称の文字サイズ（ここでは大小の２種類）が設定入力される。
【００２０】
例えば、１列目の１番目のワンタッチボタン（ワンタッチ＃１）の行には、登録名称として「株式会社北海道イロハ」が登録され、登録番号として電話番号「８−００−１２３４」が登録され、印字用名称として「北海道イロハ」が登録され、印字用カラーとして「黒」が登録され、印字用フォントとして「小」が登録されている。また、ワンタッチ＃９の行には、登録名称として「通信管理レポート出力」が登録され、登録番号の欄には登録がなく、印字用名称として「印刷管理Ｒ」が登録され、印字用カラーとして「黄色」が登録され、印字用フォントとして「大」が登録されている。
【００２１】
そして、送信原稿をファクシミリ装置にセットして、ワンタッチ＃１を押せば、登録番号の欄に入力した電話番号に自動的にダイヤルして回線を接続し、「株式会社北海道イロハ」に送信原稿を光学的に読み取って読み取りデータが送信される。ワンタッチ＃９を押せば、通信管理レポートが出力される。
【００２２】
図３はワンタッチダイヤルの登録手順を示すフローチャートであり、まず、ファンクションキーを操作して、ワンタッチダイヤルの登録モードに切り換える。次に、登録対象となるワンタッチボタンを選択すると（Ｓ１−１）、表示部にファクス番号の入力を要求する表示がなされ、使用者がテンキーを操作することによってファクス番号が登録される（Ｓ１−２）。ファクス番号が登録されると、表示部に登録名称の入力を要求する表示がなされ、使用者がワンタッチボタンまたはテンキーを操作することによって名称が登録（以下、表１にあわせて登録名称と称する）される（Ｓ１−３）。登録名称が登録されると、ワンタッチラベル用の名称（以下、表１にあわせて印字用名称と称する）を登録するか否かの選択肢が表示される（Ｓ１−４）。「登録する」を選択した時には（Ｓ１−４のＹｅｓ）、表示部に印字用名称の入力を要求する表示がなされ、使用者によるワンタッチボタンまたはテンキーの操作によって印字用名称が登録される（Ｓ１−５）。印字用名称の登録後（Ｓ１−５）または「登録しない」を選択すると（Ｓ１−４のＮｏ）、印字用カラーを登録するか否かの選択肢が表示される（Ｓ１−６）。ここで「登録しない」を選択した場合（Ｓ１−６のＮｏ）または「登録する」を選択して（Ｓ１−６のＹｅｓ）印字用カラーを登録すると（Ｓ１−７）、印字用フォントの入力を登録するか否かの選択肢が表示される（Ｓ１−８）。「登録する」を選択した時には（Ｓ１−８のＹｅｓ）、使用者が文字サイズを選択して登録することにより（Ｓ１−９）、ワンタッチダイヤルの登録モードが終了する。登録しない場合には（Ｓ１−８のＮｏ）そのままワンタッチダイヤルの登録モードが終了する。
【００２３】
図４はワンタッチラベルの印字用名称を登録する手順の詳細を示すフローチャートである。印字用名称の登録内容によっては、例えば、登録名称の文字数がワンタッチラベル出力最大文字数以内の場合などにおいて、登録名称と印字用名称が同じになる場合がある。そこで、ワンタッチダイヤルのファクス番号、名称を登録して（Ｓ１−１，２，３）、印字用名称を登録する際（Ｓ１−４）、先に登録した登録名称をそのまま使用するかどうかについて、使用者に選択させる（Ｓ１−４−１）。そのまま使用する場合には登録名称がワンタッチラベル用の名称として登録される（Ｓ１−５−１）。使用しない場合にはワンタッチラベル用の名称の新規登録を行う（Ｓ１−５−２）。
【００２４】
また、登録内容によっては、ワンタッチダイヤルの登録名称が登録してあっても、ラベルに登録内容を出力したくない場合（使用者が後から手書きをするため白紙のままにしておく等）には、使用しないを選択して、新規の印字用名称として何も入力しないか空白を入力することで対応可能である。
【００２５】
図５はワンタッチラベルに印刷用カラーを登録する手順の詳細を示すフローチャートである。
【００２６】
ワンタッチダイヤルのファクス番号、登録名称、印字用名称を登録して（Ｓ１−１〜５）、ワンタッチラベルに印字する文字色を登録する際、まず、印字用カラーを登録するか否か使用者に問い合わせ（Ｓ１−６）、登録しない場合には、印字用カラーとして黒色を登録する（Ｓ１−６−１）。登録する場合には、黄色、青、赤、緑と順に登録するか否か使用者に選択させ（Ｓ１−６−２）、使用者が選択したカラーを印字用カラーとして登録する（Ｓ１−７）。ここで、黄色、青、赤、緑の中から選択されなかった場合には、印字用カラーとして黒色を登録する（Ｓ１−６−１）。
【００２７】
図６はワンタッチラベルに印刷する印刷用フォントを登録する手順の詳細を示すフローチャートである。
【００２８】
ワンタッチダイヤルのファクス番号、登録名称、ワンタッチラベル用の名称を、印字用カラーを登録して（Ｓ１−１〜７）、文字サイズを登録する際、印刷用フォントを登録するか否か使用者に問い合わせ（Ｓ１−８）、登録しない場合には、印字用フォントとして小さいフォントを登録する（Ｓ１−８−１）。登録する場合には、印字用フォントとして大きいフォントを登録するか否かを使用者に選択させ（Ｓ１−８−２）、登録する場合には大きいフォントを登録し（Ｓ１−９）、登録しない場合には小さいフォントを登録する（Ｓ１−８−１）。
【００２９】
ところで、本実施形態においては、ワンタッチラベルに印字可能な文字数は、大きなフォントの場合５文字、小さなフォントの場合は１０文字としている。なお、半角文字は１／２文字とする。ここで、図５に示す手順によれば、小さいフォントが標準として設定されるようになる。しかし、小さなフォントに設定されているところを大きいフォントに変更した場合にはラベル印字用名称の文字数が規定数を越える場合もある。そのため、ラベル印字用名称の文字数が５文字を超えている場合には大きいフォントが設定できないようにしても良い。
【００３０】
図７は（表１）のように登録されたワンタッチダイヤルのラベルの出力例を示す説明図であり、ワンタッチボタンの位置に対応するように印字用名称が配列されており、登録された印字用カラーおよび印字用フォントの大きさに基づいて印字用名称が記録紙に印刷される。
【００３１】
このように、本実施形態によれば、ワンタッチボタンに対応して個々に印刷用名称を登録することができるために、規定範囲の文字数に入るように使用者が名称を設定することが可能になり、わかりやすいワンタッチラベルを作成することが可能になる。さらに、個々の印刷用名称に対してそれぞれ文字色や文字サイズといった印刷設定ができるために、ワンタッチラベルの文字において出力色や文字サイズに特徴を出すことができ、個々のワンタッチラベルの識別がより容易になる。
【００３２】
以上、ワンタッチボタンをワンタッチダイヤルとして機能させることを例にあげて説明してきたが、ワンタッチボタンをワンタッチダイヤルとして機能させること以外の機能についても本実施形態は適用可能である。例えば、（表１）のワンタッチ＃９には通信管理レポート印刷機能が登録されている。通常、通信管理レポート印刷の際にはファンクションキーを何度か押下し、通信管理レポート印刷の項目に到達してから印刷を実行させるが、ワンタッチ＃９には、通信管理レポート印刷の項目に到達して印刷を実行させるまでの手順が登録されており、「通信管理Ｒ」と表示されたワンタッチボタンを押下することにより、通信管理レポートの印刷が実行される。
【００３３】
【発明の効果】
以上説明してきたように、この発明によるファクシミリ装置によれば、ワンタッチラベルにおける印字可能文字数内で、ラベルとして印刷される登録名称を使用者が入力し登録するので、使用者が意図した名称がラベルに反映されるようになり、ワンタッチラベルを見た場合に登録内容がよりわかりやすくなる。
【図面の簡単な説明】
【図１】本発明のファクシミリ装置の一実施形態であるファクシミリ装置の構成を示すブロック図
【図２】ワンタッチダイヤルの登録手順を示すフローチャート
【図３】表１のように登録されたワンタッチダイヤルのラベルの出力例を示す説明図
【図４】ワンタッチラベルの印字用名称を登録する手順の詳細を示すフローチャート
【図５】ワンタッチラベルに印刷用カラーを登録する手順の詳細を示すフローチャート
【図６】ワンタッチラベルに印刷する印刷用フォントを登録する手順の詳細を示すフローチャート
【図７】（表１）のように登録されたワンタッチダイヤルのラベルの出力例を示す説明図
【符号の説明】
１　読み取り部
２　記録部
３　符号化・復号化部
４　システム制御部
５　システムメモリ
６　画情報メモリ
７　操作表示部
１１　表示部
１２　ワンタッチボタン
１３　ワンタッチボタン名称ラベル貼り付けスペース
１４　テンキー
１５　スタートキー
１６　ストップキー
【図１】
2004096536.tif 000004
【図２】
2004096536.tif 000005
【図３】
2004096536.tif 000006
【図４】
2004096536.tif 000007
【図５】
2004096536.tif 000008
【図６】
2004096536.tif 000009
【図７】
2004096536.tif 000010